【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のネットワークにおける基地局（ＢＳ）と通信するための第１のセットのビームフォーミング方向を決定することと、
前記決定された第１のセットのビームフォーミング方向に基づいて、ミリ波基地局（ｍｍＷ−ＢＳ）と通信するための第２のセットのビームフォーミング方向におけるビームを監視することと、前記第２のセットのビームフォーミング方向は前記第１のセットのビームフォーミング方向を含み、前記ｍｍＷ−ＢＳは前記第１のネットワークよりも高いキャリア周波数を有する第２のネットワークにあり、
前記第２のセットのビームフォーミング方向における１つのビームフォーミング方向に基づいて、前記ｍｍＷ−ＢＳとの通信リンクを確立することと
を備える、方法。
【手続補正２】
【補正対象書類名】明細書
【補正対象項目名】００７４
【補正方法】変更
【補正の内容】
【００７４】
[0086]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは、「１つおよび１つのみ」を意味するのではなく、「１つまたは複数」を意味するように意図されている。「例示的な（exemplary）」という用語は、ここで「例、実例、または例示としての役割を果たす」という意味で使用される。「例示的」であるとここで説明された何れの態様も、必ずしも、他の態様よりも好ましいまたは有利であると解釈されるべきではない。そうでないとの明確な記載がない限り、「何らかの（some）」という用語は、１つまたは複数を意味する。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの何れの組み合わせも含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つまたは複数のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書における如何なる開示も、そのような開示が特許請求の範囲に明確に記載されているか否かに関わらず、公に捧げられることを意図したものではない。要素が「〜のための手段」という表現を使用して明記されていない限り、請求項の何れの要素もミーンズプラスファンクションとして解釈されるべきではない。
以下に本願の出願当初の特許請求の範囲に記載された発明を付記する。
［Ｃ１］  ワイヤレス通信の方法であって、
第１のネットワークにおける基地局（ＢＳ）と通信するための第１のセットのビームフォーミング方向を決定することと、
前記決定された第１のセットのビームフォーミング方向に基づいて、ミリ波基地局（ｍｍＷ−ＢＳ）と通信するための第２のセットのビームフォーミング方向におけるビームを監視することと、前記第２のセットのビームフォーミング方向は前記第１のセットのビームフォーミング方向を含み、前記ｍｍＷ−ＢＳは前記第１のネットワークよりも高いキャリア周波数を有する第２のネットワークにあり、
前記第２のセットのビームフォーミング方向における１つのビームフォーミング方向に基づいて、前記ｍｍＷ−ＢＳとの通信リンクを確立することと
を備える、方法。
［Ｃ２］  前記第１のセットのビームフォーミング方向は、第１のセットのアンテナに対応し、および前記第２のセットのビームフォーミング方向は、第２のセットのアンテナに対応する、Ｃ１に記載の方法。
［Ｃ３］  前記第１のセットのアンテナは、前記第２のセットのアンテナのサブセットである、Ｃ２に記載の方法。
［Ｃ４］  前記第１のネットワークとの通信リンクをクローズすることと、
前記確立された通信リンクの品質がしきい値を下回ることを決定することと、
ネットワークコントローラに前記第１のネットワークを通して通信することを要求する情報を送ることと
をさらに備える、Ｃ１に記載の方法。
［Ｃ５］  前記第１のネットワークのシンボルおよびフレームタイミングまたはキャリア周波数オフセットのうちの少なくとも１つを決定することと、
前記第１のネットワークのシンボルおよびフレームタイミングまたはキャリア周波数オフセットのうちの前記少なくとも１つに基づいて、前記第２のネットワークに関する第２のシンボルおよびフレームタイミングまたは第２のキャリア周波数オフセットのうちの少なくとも１つを決定することと
をさらに備える、Ｃ１に記載の方法。
［Ｃ６］  ワイヤレス通信のための装置であって、
第１のネットワークにおける基地局（ＢＳ）と通信するための第１のセットのビームフォーミング方向を決定するための手段と、
前記決定された第１のセットのビームフォーミング方向に基づいて、ミリ波基地局（ｍｍＷ−ＢＳ）と通信するための第２のセットのビームフォーミング方向におけるビームを監視するための手段と、前記第２のセットのビームフォーミング方向は前記第１のセットのビームフォーミング方向を含み、前記ｍｍＷ−ＢＳは前記第１のネットワークよりも高いキャリア周波数を有する第２のネットワークにあり、
前記第２のセットのビームフォーミング方向における１つのビームフォーミング方向に基づいて、前記ｍｍＷ−ＢＳとの通信リンクを確立するための手段と
を備える、装置。
［Ｃ７］  前記第１のセットのビームフォーミング方向は、第１のセットのアンテナに対応し、および前記第２のセットのビームフォーミング方向は、第２のセットのアンテナに対応する、Ｃ６に記載の装置。
［Ｃ８］  前記第１のセットのアンテナは、前記第２のセットのアンテナのサブセットである、Ｃ７に記載の装置。
［Ｃ９］  前記第１のネットワークとの通信リンクをクローズするための手段と、
前記確立された通信リンクの品質がしきい値を下回ることを決定するための手段と、
ネットワークコントローラに前記第１のネットワークを通して通信することを要求する情報を送るための手段と
をさらに備える、Ｃ６に記載の装置。
［Ｃ１０］  前記第１のネットワークのシンボルおよびフレームタイミングまたはキャリア周波数オフセットのうちの少なくとも１つを決定するための手段と、
前記第１のネットワークのシンボルおよびフレームタイミングまたはキャリア周波数オフセットのうちの前記少なくとも１つに基づいて、前記第２のネットワークに関する第２のシンボルおよびフレームタイミングまたは第２のキャリア周波数オフセットのうちの少なくとも１つを決定するための手段と
をさらに備える、Ｃ６に記載の装置。
［Ｃ１１］  ワイヤレス通信のための装置であって、
メモリと、
前記メモリに結合された少なくとも１つのプロセッサと
を備え、前記少なくとも１つのプロセッサは、
第１のネットワークにおける基地局（ＢＳ）と通信するための第１のセットのビームフォーミング方向を決定することと、
前記決定された第１のセットのビームフォーミング方向に基づいて、ミリ波基地局（ｍｍＷ−ＢＳ）と通信するための第２のセットのビームフォーミング方向におけるビームを監視することと、前記第２のセットのビームフォーミング方向は前記第１のセットのビームフォーミング方向を含み、前記ｍｍＷ−ＢＳは前記第１のネットワークよりも高いキャリア周波数を有する第２のネットワークにあり、
前記第２のセットのビームフォーミング方向における１つのビームフォーミング方向に基づいて、前記ｍｍＷ−ＢＳとの通信リンクを確立することと
を行うように構成される、装置。
［Ｃ１２］  前記第１のセットのビームフォーミング方向は、第１のセットのアンテナに対応し、および前記第２のセットのビームフォーミング方向は、第２のセットのアンテナに対応する、Ｃ１１に記載の装置。
［Ｃ１３］  前記第１のセットのアンテナは、前記第２のセットのアンテナのサブセットである、Ｃ１２に記載の装置。
［Ｃ１４］  前記少なくとも１つのプロセッサは、
前記第１のネットワークとの通信リンクをクローズすることと、
前記確立された通信リンクの品質がしきい値を下回ることを決定することと、
ネットワークコントローラに前記第１のネットワークを通して通信することを要求する情報を送ることと
を行うようにさらに構成される、Ｃ１１に記載の装置。
［Ｃ１５］  前記少なくとも１つのプロセッサは、
前記第１のネットワークのシンボルおよびフレームタイミングまたはキャリア周波数オフセットのうちの少なくとも１つを決定することと、
前記第１のネットワークのシンボルおよびフレームタイミングまたはキャリア周波数オフセットのうちの前記少なくとも１つに基づいて、前記第２のネットワークに関する第２のシンボルおよびフレームタイミングまたは第２のキャリア周波数オフセットのうちの少なくとも１つを決定することと
を行うようにさらに構成される、Ｃ１１に記載の装置。
［Ｃ１６］  コンピュータ読み取り可能な媒体上に記憶されたコンピュータプログラム製品であって、少なくとも１つのプロセッサ上で実行されると、前記少なくとも１つのプロセッサに、
第１のネットワークにおける基地局（ＢＳ）と通信するための第１のセットのビームフォーミング方向を決定することと、
前記決定された第１のセットのビームフォーミング方向に基づいて、ミリ波基地局（ｍｍＷ−ＢＳ）と通信するための第２のセットのビームフォーミング方向におけるビームを監視することと、前記第２のセットのビームフォーミング方向は前記第１のセットのビームフォーミング方向を含み、前記ｍｍＷ−ＢＳは前記第１のネットワークよりも高いキャリア周波数を有する第２のネットワークにあり、
前記第２のセットのビームフォーミング方向における１つのビームフォーミング方向に基づいて、前記ｍｍＷ−ＢＳとの通信リンクを確立することと
を行わせるコードを備える、コンピュータプログラム製品。
［Ｃ１７］  前記第１のセットのビームフォーミング方向は、第１のセットのアンテナに対応し、および前記第２のセットのビームフォーミング方向は、第２のセットのアンテナに対応する、Ｃ１６に記載のコンピュータプログラム製品。
［Ｃ１８］  前記第１のセットのアンテナは、前記第２のセットのアンテナのサブセットである、Ｃ１７に記載のコンピュータプログラム製品。
［Ｃ１９］  少なくとも１つのプロセッサ上で実行されると、前記少なくとも１つのプロセッサに、
前記第１のネットワークとの通信リンクをクローズすることと、
前記確立された通信リンクの品質がしきい値を下回ることを決定することと、
ネットワークコントローラに前記第１のネットワークを通して通信することを要求する情報を送ることと
を行わせるコードをさらに備える、Ｃ１６に記載のコンピュータプログラム製品。
［Ｃ２０］  少なくとも１つのプロセッサ上で実行されると、前記少なくとも１つのプロセッサに、
前記第１のネットワークのシンボルおよびフレームタイミングまたはキャリア周波数オフセットのうちの少なくとも１つを決定することと、
前記第１のネットワークのシンボルおよびフレームタイミングまたはキャリア周波数オフセットのうちの前記少なくとも１つに基づいて、前記第２のネットワークに関する第２のシンボルおよびフレームタイミングまたは第２のキャリア周波数オフセットのうちの少なくとも１つを決定することと
を行わせるコードをさらに備える、Ｃ１６に記載のコンピュータプログラム製品。